(57)【要約】【課題】エスカレーターや移動通路等のマンコンベアの運転速度、運転方向に合わせて表示装置の表示速度と方向を自動制御するマンコンベアの表示装置を得る。【解決手段】マンコンベア１に設けられた踏段２の移動方向に沿って設置された表示装置３と、踏段２の移動速度に同期して回転する歯車板６と、歯車板６の回転速度を検出する検出センサ７、８と、検出センサ７、８の検出信号によりマンコンベア１の運転速度を算出すると共に、検出センサ７、８の検出信号によりマンコンベア１の運転方向を検知し、更に、マンコンベア１の運転速度、運転方向に合わせて表示装置３の表示速度と方向を制御する表示器制御装置を備えた。【選択図】図１
2012126467.tif 000002
【特許請求の範囲】
【請求項１】
マンコンベアに設けられた踏段の移動方向に沿って設置された表示装置と、
前記踏段の移動速度に同期して回転する回転体と、
前記回転体の回転速度を検出する検出センサと、
前記検出センサの検出信号により前記マンコンベアの運転速度を算出する手段と、
前記検出センサの検出信号により前記マンコンベアの運転方向を検知する手段と、
前記マンコンベアの運転速度、及び前記マンコンベアの運転方向に合わせて前記表示装置の表示速度と方向を制御する手段と、
を備えたことを特徴とするマンコンベアの表示装置。
【請求項２】
前記検出センサは、前記回転体の回転方向に併設される第１の検出センサと第２の検出センサにより構成され、前記回転体の外周部に周方向に等間隔で設けられた検出部を検出するものであることを特徴とする請求項１に記載のマンコンベアの表示装置。
【請求項３】
前記マンコンベアの運転信号を監視し、運転中にのみ前記表示装置にメッセージを出力することを特徴とする請求項１または２に記載のマンコンベアの表示装置。
【請求項４】
前記マンコンベアの速度切替信号を監視し、速度切換前に乗客に対する速度変更注意喚起メッセージを前記表示装置に出力することを特徴とする請求項１〜３の何れか一項に記載のマンコンベアの表示装置。
【請求項５】
前記マンコンベアの異常信号を監視し、異常停止前に乗客に対する異常停止注意喚起メッセージを前記表示装置に出力することを特徴とする請求項１〜３の何れか一項に記載のマンコンベアの表示装置。
【発明の詳細な説明】
【技術分野】
【０００１】
この発明は、例えばエスカレーターや移動通路等のマンコンベアの乗客に対し、情報を提供するマンコンベアの表示装置に関するものである。
【背景技術】
【０００２】
エスカレーターや移動通路等のマンコンベアの乗客に対して情報を提供する表示装置として、デッキボード上に踏段の移動方向に沿って表示器を設け、この表示器に文字列を表示すると共に、該文字列の移動（スクロール表示）を制御器により制御する技術が提案されている。(例えば、特許文献１参照)
【先行技術文献】
【特許文献】
【０００３】
【特許文献１】特開平７−２０６３４９号公報
【発明の概要】
【発明が解決しようとする課題】
【０００４】
前記特許文献１に開示されたマンコンベアの表示装置は、制御器への表示器に表示する文字列の表示方向の設定、あるいは表示速度の設定を操作器から手動で行なうものである。即ち、従来のマンコンベアの表示装置は、表示器に表示する文字列の表示方向の設定、あるいは表示速度の設定が、マンコンベアの運転と連動しておらず、マンコンベアの運転速度と運転方向に合わせて人が手動で表示速度を設定している。
【０００５】
しかし、近年のマンコンベアは、省エネルギーの観点から、乗り込んでいる乗客人数に応じてマンコンベアの運転速度を切替えたり、時間帯に応じて運転速度を切替える動作が行われているため、マンコンベアの運転速度を切替えるたびに人が手動で表示速度の設定を行わなければならないという課題がある。
【０００６】
この発明は、上記の課題を解決するためになされたもので、エスカレーターや移動通路等のマンコンベアの運転速度、運転方向に合わせて表示装置の表示速度と方向を自動制御するマンコンベアの表示装置を提供することを目的とするものである。
【課題を解決するための手段】
【０００７】
上記の目的を達成するために、この発明に係るマンコンベアの表示装置は、マンコンベアに設けられた踏段の移動方向に沿って設置された表示装置と、前記踏段の移動速度に同期して回転する回転体と、前記回転体の回転速度を検出する検出センサと、前記検出センサの検出信号により前記マンコンベアの運転速度を算出する手段と、前記検出センサの検出信号により前記マンコンベアの運転方向を検知する手段と、前記マンコンベアの運転速度、及び前記マンコンベアの運転方向に合わせて前記表示装置の表示速度と方向を制御する手段と、を備えたものである。
【発明の効果】
【０００８】
この発明に係るマンコンベアの表示装置は、マンコンベアの踏段速度を表示器制御装置で取得することにより、表示装置の表示をエスカレーターの現在の運転速度、運転方向に合わせ自動制御することが可能となる。
【図面の簡単な説明】
【０００９】
【図１】この発明の実施の形態１に係るエスカレーターの表示装置を説明する全体構成図である。
【図２】この発明の実施の形態１に係るエスカレーターの表示装置における表示選択方法フローチャートである。
【図３】この発明の実施の形態１に係るエスカレーターの表示装置における運転速度を算出するフローチャートである。
【発明を実施するための形態】
【００１０】
以下、添付の図面を参照して、この発明に係るマンコンベアの表示装置について好適な実施の形態を説明する。なお、この実施の形態により発明が限定されるものではなく、諸種の設計的変更を含むものである。
【００１１】
実施の形態１．
図１は、この発明の実施の形態１に係るエスカレーターの表示装置を説明する全体構成図である。図１において、エスカレーター１のデッキボード（図示せず）上に、踏段２の移動方向に沿って表示装置、例えば表示器３が設けられている。表示器３は、例えば、特開平７−２０６３４９号公報にも開示されているように、電光掲示により文字、若しくは図柄等を表示し、その表示を移動させる周知の構成となっている。
【００１２】
エスカレーター１は一般に周知の構成であって、その詳細説明は省略するが、トラス４の上部に機械室５が設けられており、この機械室５には踏段２を図示しないチェーンあるいはベルト等により移動させる減速機等の駆動機構（図示せず）が設置されている。前記駆動機構は、回転駆動することによりチェーンあるいはベルト等を介して踏段２を移動させるように構成され、踏段２と同期して、例えば、駆動機構の回転軸（図示せず）に歯車板６のような回転体が取り付けられている。そして、歯車板６の外周部には複数の検出部、例えば歯部６ａが周方向に等間隔で設けられている。
【００１３】
歯車板６の歯部６ａと対向する位置で、かつ歯車板６の回転方向に、第１の検出センサ７と第２の検出センサ８が併設されている。第１の検出センサ７および第２の検出センサ８は、例えば近接センサからなり、歯部６ａの回転移動を検出することにより、パルス信号を出力するように構成されている。従って、第１の検出センサ７および第２の検出センサ８から出力される一定時間内の検出信号からエスカレーターの運転速度を算出することができる。
【００１４】
また、第１の検出センサ７および第２の検出センサ８から出力される検出信号を用いてエスカレーターの運転方向（ＵＰ運転／ＤＯＷＮ運転）を得ることができる。即ち、第１の検出センサ７から出力される検出信号を得た後、第２の検出センサ８から出力される検出信号を得た場合はエスカレーター１がＵＰ運転しており、逆に、第２の検出センサ８から出力される検出信号を得た後、第１の検出センサ７から出力される検出信号を得た場合はエスカレーター１がＤＯＷＮ運転していることになる。
【００１５】
エスカレーター１のトラス４内にはエスカレーター１を制御するエスカレーター制御装置９と表示器制御装置１０が設置されている。表示器制御装置１０は、後述するように、エスカレーター制御装置９から信号線１１によりエスカレーター１の運転信号を、また、第１の検出センサ７および第２の検出センサ８から信号線１２によりそれらの検出信号を得て、信号線１３を介して表示器３を制御するように構成されている。なお、エスカレーター１の運転信号とは、エスカレーター１の運転中のときに出力されるエスカレーター運転中信号であり、エスカレーター１の加減速開始時に出力されるエスカレーター加減速信号であり、エスカレーター１の異常時に出力されるエスカレーター異常信号であって、エスカレーター１の状態によりエスカレーター制御装置９から出力される信号である。
【００１６】
実施の形態１に係るエスカレーターの表示装置は前記のように構成されており、第１の検出センサ７および第２の検出センサ８から出力される検出信号に基づくエスカレーター１の運転方向および運転速度から、表示器制御装置１０が表示器３の表示スクロール速度、表示方向を決定し、信号線１３により表示器３に表示データを出力する。
【００１７】
また、表示器制御装置１０は、エスカレーター制御装置９から信号線１１により出力されるエスカレーター１の運転中信号を使用することで、信号線１３を介して表示器３に表示データとして出力する。
【００１８】
また、表示器制御装置１０は、エスカレーター制御装置９から信号線１１により出力されるエスカレーター１の異常信号を使用することで、信号線１３を介して表示器３にエスカレーター異常検出前に、異常停止を注意喚起する表示データを出力する。
【００１９】
更に、表示器制御装置１０は、エスカレーター制御装置９から信号線１１により出力されるエスカレーター１の加減速信号を使用することで、信号線１３を介して表示器３にエスカレーター１の加減速開始前に加速、減速の注意を喚起する表示データを出力する。
【００２０】
図２は、表示器制御装置１０による表示選択方法の例を示したフローチャートである。図２において、ステップ(以下、単にＳと記述)２０１で、表示器制御装置１０は、エスカレーター制御装置９からの信号によりエスカレーター１の運転信号の確認を行う。
【００２１】
表示器制御装置１０は、エスカレーター１が停止中の場合は、Ｓ２０４で表示器３の表示を消去し、エスカレーター１が運転中の場合は、Ｓ２０２でエスカレーター１の速度を算出する。
【００２２】
次にＳ２０３において、表示器制御装置１０は、第１の検出センサ７および第２の検出センサ８の検出信号により、エスカレーター１の運転方向の確認をする。エスカレーター１の運転方向がＵＰ運転の場合、Ｓ２０５で表示器３にＳ２０２で算出した運転速度に合わせて表示データをＵＰ方向に出力し、運転方向がＤＯＷＮ運転の場合にはＳ２０６で表示器３にＳ２０２で算出した運転速度に合わせて表示データをＤＯＷＮ方向に出力する。
【００２３】
図３は、表示器制御装置１０によるエスカレーター１の運転速度検出の例を示したフローチャートである。図３において、Ｓ３０１で第１の検出センサ７または第２の検出センサ８の検出信号により、センサ検出回数を積分する。
【００２４】
Ｓ３０２で一定時間が経過しているか確認を行う。一定時間が経過した場合、Ｓ３０３でセンサ検出回数から運転速度の算出をする。
【００２５】
以上説明したように、実施の形態１に係るエスカレーター１の表示装置によれば、エスカレーター１の運転中信号を使用することで、エスカレーター１の運転中の時のみ表示器３の表示を出力することができ、省エネルギー化を行うことが可能となる。
【００２６】
また、エスカレーター１の異常信号を使用することでエスカレーター１が異常停止する前に、表示器３に異常停止を意味する注意喚起メッセージを表示することができ、乗客がエスカレーター１の異常停止に備えることが可能となる。
【００２７】
また、エスカレーター１の加減速信号を使用することでエスカレーター１が加速、減速する前に表示器３に加減速を意味する注意喚起メッセージを表示することができ、乗客がエスカレーター１の加速、減速に備えることが可能となる。
【００２８】
ところで、エスカレーター１の状態に応じた注意喚起メッセージを表示することにより、視覚に訴える注意喚起が可能になり、聴覚に障害のある障害者や繁華街など周辺の騒音が大きい場所等のように、注意喚起アナウンスが聞きとりにくい場合についてもこの発明が有効であることはいうまでもない。
【００２９】
また、実施の形態１では、この発明をエスカレーター１に利用する場合について説明したが、その他の移動通路にも利用できることはいうまでもない。
【符号の説明】
【００３０】
１  エスカレーター
２  踏段
３  表示器
４  トラス
５  機械室
６  歯車板
６ａ  歯部
７  第１の検出センサ
８  第２の検出センサ
９  エスカレーター制御装置
１０  表示器制御装置
１１、１２、１３  信号線
【図１】
2012126467.tif 000003
【図２】
2012126467.tif 000004
【図３】
2012126467.tif 000005